(57)【要約】【課題】無線通信時の信号劣化の要因を分類できること。【解決手段】移動無線装置１００は、無線通信を行う装置内部の温度を検出する温度センサ１０４と、温度センサ１０４が検出した高温期間中の無線通信の信号劣化の有無に基づいて、信号劣化が高温時の熱雑音によるものであるか否かを判断する状態監視部１０３と、を有する。状態監視部１０３は、温度センサ１０４が検出する温度を、予め設定した閾値の温度と比較して、装置内部の温度が高温であるか否かを判断し、高温期間中、ベースバンド部１０１が信号処理した結果得られる無線品質情報に劣化する変化が生じた場合、信号劣化が高温時の熱雑音によるものであると判断する。【選択図】図１
2015103823.tif 000002
【特許請求の範囲】
【請求項１】
無線通信を行う装置内部の温度を検出する温度センサと、
前記温度センサが検出した高温期間中の無線通信の信号劣化の有無に基づいて、当該信号劣化が高温時の熱雑音によるものであるか否かを判断する監視部と、
を有することを特徴とする端末装置。
【請求項２】
前記監視部は、
前記温度センサが検出する温度を、予め設定した閾値の温度と比較して、装置内部の温度が高温であるか否かを判断し、
前記高温期間中、無線通信部が信号処理した結果得られる無線品質情報に劣化する変化が生じた場合、前記信号劣化が高温時の熱雑音によるものであると判断することを特徴とする請求項１に記載の端末装置。
【請求項３】
前記監視部は、
前記信号劣化が高温時の熱雑音によるものであると判断した際の前記無線品質情報を含む発熱劣化情報を生成し、装置内部の格納部に保存することを特徴とする請求項２に記載の端末装置。
【請求項４】
前記監視部は、
前記発熱劣化情報として、前記信号劣化の発生の有無を示す識別情報と、前記無線品質情報と、を含み生成することを特徴とする請求項３に記載の端末装置。
【請求項５】
前記監視部は、
前記発熱劣化情報として、さらに、信号劣化が生じた際の時刻、発生温度、および位置の情報の一つあるいは複数を含め生成することを特徴とする請求項４に記載の端末装置。
【請求項６】
前記監視部は、
前記発熱劣化情報を装置外部に出力することを特徴とする請求項３〜５のいずれか一つに記載の端末装置。
【請求項７】
前記監視部は、
前記信号劣化が高温時の熱雑音によるものであると判断した旨の通知メッセージを、装置の表示部に表示出力することを特徴とする請求項６に記載の端末装置。
【請求項８】
前記監視部は、
前記発熱劣化情報を、装置外部に設けられ、端末装置別に前記無線品質情報を保存管理するサーバーに送信出力することを特徴とする請求項６または７に記載の端末装置。
【請求項９】
前記監視部は、
前記無線品質情報として、通信レート、速度別の変調方式、コードブロックサイズ、前記信号処理時の誤り検出結果、誤り検出率、のうち一つあるいは複数を用いて前記信号劣化の有無を判断することを特徴とする請求項２〜８のいずれか一つに記載の端末装置。
【請求項１０】
前記監視部は、
前記無線品質情報として、前記無線通信部が所定の通信方式により信号処理した際に用いるＣＱＩ（Ｃｈａｎｎｅｌ  Ｑｕａｌｉｔｙ  Ｉｎｄｉｃａｔｏｒ）のインデックス値の変化に基づき前記信号劣化の有無を判断することを特徴とする請求項２〜８のいずれか一つに記載の端末装置。
【請求項１１】
前記監視部は、
通常の無線通信を行った際の受信データと、前記無線品質情報とを格納部に保存しておき、
前記温度センサが検出した高温経過後の通常の無線通信が行える期間に、前記格納部から読み出した前記受信データを前記無線通信部により再度信号処理させて第２の無線品質情報を得て、
前記無線品質情報と、前記第２の無線品質情報とを比較して、差分の有無に基づき、装置の故障の有無を判断する
ことを特徴とする請求項２〜１０のいずれか一つに記載の端末装置。
【請求項１２】
無線通信を行う装置内部の温度を検出する温度センサと、
前記温度センサが検出した高温期間中、無線通信部が信号処理した結果得られる無線品質情報に劣化する変化が生じた場合、前記無線品質情報を含む発熱劣化情報を生成してサーバーに送信出力する監視部と、を有する端末装置と、
受信した前記発熱劣化情報を前記端末装置毎に記憶部に蓄積保存し、
前記記憶部から所望の端末装置の前記発熱劣化情報を読み出して、前記端末装置に生じた信号劣化が高温時の熱雑音によるものであるか否かを判断するサーバーと、
を含むことを特徴とする通信状態監視システム。
【請求項１３】
無線通信を行う端末装置内部の温度が高温期間中の無線通信の信号劣化の有無に基づいて、当該信号劣化が高温時の熱雑音によるものであるか否かを判断する判断工程
を含むことを特徴とする通信状態監視方法。
【発明の詳細な説明】
【技術分野】
【０００１】
本発明は、無線通信を行う端末装置、通信状態監視システムおよび通信状態監視方法に関する。
【背景技術】
【０００２】
スマートフォンなどの移動無線装置は、無線通信処理を行うベースバンド部（ＢＢ部）と、アプリケーション処理を行うアプリケーション部（ＡＰＬ部）とを含み構成されている。最近の移動無線装置は、高機能化されて高速通信でき、例えば、高画質な動画なども処理できる。そのため、移動無線装置のＡＰＬ部にはクアッドコア等の高性能ＣＰＵが搭載されてきている。
【０００３】
移動無線装置は、中央部にプリント基盤が配置され、上端と下端にアンテナ部が配置実装されており、小型化のために、１枚のプリント基盤の一方の面にＢＢ部を搭載し、他方の面にＡＰＬ部を搭載している。
【０００４】
高性能ＣＰＵは、処理時の発熱量が多く、移動無線装置内部が高温となることがある。そして、上記のように、ＢＢ部とＡＰＬ部が１枚のプリント基盤の表裏に実装される場合、ＡＰＬ部のＣＰＵの発熱によってＢＢ部が加熱され、アンテナ部からＢＢ部までの経路も加熱されて、ＢＢ部には熱雑音による信号劣化（受信感度の劣化）が生じる。ＢＢ部の熱雑音は、他にバッテリの発熱等も考えられる。受信感度が劣化すると、無線信号のビット誤りが発生し、通信速度が低下する。
【０００５】
開示技術としては、無線通信装置の送受信データとキー操作のログデータを記憶しておき、異常検出時にログデータを読み出すことで、異常解析に用いるものがある（例えば、下記特許文献１参照。）。また、正常通信と着信失敗の履歴とを格納しておき、これらの履歴を故障判定に用いるものがある（例えば、下記特許文献２参照。）。また、送信装置から中継装置を介して受信基地局の伝送システムのいずれかの装置に、設定と操作と受信状態等の情報を記録しておき、記録した情報に基づいて、装置の状態を再現して不具合の解析に用いるものがある（例えば、下記特許文献３参照。）。
【先行技術文献】
【特許文献】
【０００６】
【特許文献１】特開平１１−１８６９７４号公報
【特許文献２】特開２００２−１６５４４号公報
【特許文献３】特開２００８−２０５７２７号公報
【発明の概要】
【発明が解決しようとする課題】
【０００７】
しかしながら、従来の技術では、移動無線装置の使用中に、ＡＰＬ部の発熱等を要因としてＢＢ部に熱雑音による信号劣化が生じると、電波状況が良好にもかかわらず、通信速度の低下が生じる。この場合、電波状況が良好であるにもかかわらず、通信速度が低下するために、ユーザーは速度低下の要因を判断することができなかった。この場合、ユーザーは、通信速度の低下によって移動無線装置が故障したと判断することがある。
【０００８】
特許文献１〜３の技術では、移動無線装置の使用中に、ユーザーが簡単に装置の異常であるか否かを判断することができない。より具体的には、移動無線装置の修理が必要な故障であるか、上記熱雑音による一時的な通信状態の劣化であるか等、故障の有無と故障の程度をユーザー自身が判断することができない。
【０００９】
このため、従来技術では、移動無線装置が故障であるか否かをユーザーが判断できないため、移動無線装置が故障していない場合でも、ユーザーが故障依頼する等、不要な手間が生じることを解消できない。対応するサービスセンタ等においても、故障していない移動無線装置の故障診断等を行うなど対応に手間がかかることを解消できない。
【００１０】
一つの側面では、本発明は、無線通信時の信号劣化の要因を分類できることを目的とする。
【課題を解決するための手段】
【００１１】
一つの案では、端末装置は、無線通信を行う装置内部の温度を検出する温度センサと、前記温度センサが検出した高温期間中の無線通信の信号劣化の有無に基づいて、当該信号劣化が高温時の熱雑音によるものであるか否かを判断する監視部と、を有する。
【発明の効果】
【００１２】
一つの実施形態によれば、無線通信時の信号劣化の要因を分類できる。
【図面の簡単な説明】
【００１３】
【図１】図１は、実施の形態１にかかる端末装置の機能を示すブロック図である。
【図２】図２は、実施の形態１にかかる端末装置の構成例を示す図である。
【図３】図３は、温度上昇による受信感度の劣化の例を示す図表である。
【図４】図４は、実施の形態１にかかる状態監視部のハードウェア構成の一例を示すブロック図である。
【図５】図５は、実施の形態１にかかる状態監視処理の例を示すフローチャートである。
【図６】図６は、ＬＴＥ通信の場合の変調方式および通信レートの例を示す図表である。
【図７】図７は、発熱時にメモリに保存する発熱劣化情報の一例を示す図である。
【図８】図８は、実施の形態２にかかる状態監視処理の例を示すフローチャートである。
【図９】図９は、実施の形態３にかかる状態監視処理の例を示すフローチャートである。
【図１０】図１０は、実施の形態４にかかる端末装置の処理を説明するブロック図である。
【図１１Ａ】図１１Ａは、実施の形態４にかかる通信状態が良好なときの状態監視処理の例を示すフローチャートである。
【図１１Ｂ】図１１Ｂは、実施の形態４にかかる発熱による劣化発生改善後の故障判断処理の例を示すフローチャートである。
【発明を実施するための形態】
【００１４】
（実施の形態１）
（端末装置の機能構成例）
以下に添付図面を参照して、開示技術の好適な実施の形態を詳細に説明する。図１は、実施の形態１にかかる端末装置の機能を示すブロック図である。実施の形態１では、端末装置としてスマートフォンなどの移動無線装置１００を例に説明する。
【００１５】
移動無線装置１００は、無線通信処理を行うベースバンド部（ＢＢ部）１０１と、装置の操作等に基づいて送受データ等のデータ処理（アプリケーション処理）を行うアプリケーション部（ＡＰＬ部）１０２と、状態監視部１０３と、温度センサ１０４と、を含む。
【００１６】
ＢＢ部１０１は、アンテナ１１０を介して受信した無線信号を受信処理し、ＡＰＬ部１０２に受信データとして出力する。また、ＡＰＬ部１０２から出力された送信データを無線信号としてアンテナ１１０から送信する。
【００１７】
このＢＢ部１０１は、通信処理時に無線品質情報を出力する。無線品質情報としては、例えば、受信データの変調方式や、コードブロックサイズ、誤り検出結果（ＣＲＣ：Ｃｙｃｌｉｃ  Ｒｅｄｕｎｄａｎｃｙ  Ｃｈｅｃｋ結果）、誤り検出率（ＢＥＲ：Ｂｉｔ  Ｅｒｒｏｒ  Ｒａｔｅ、ＢＬＥＲ：ＢＬｏｃｋ  Ｅｒｒｏｒ  Ｒａｔｅなど）、通信レート（ＢＰＳ：Ｂｉｔ  Ｐｅｒ  Ｓｅｃｏｎｄ）等があり、これらのうちいずれか一つあるいは複数を出力する。
【００１８】
ＡＰＬ部１０２は、所定のアプリケーション実行により、受信データを信号処理し、例えば、移動無線装置１００の表示部（不図示）に表示出力する。また、ユーザーによる操作入力等に基づく信号を送信データとしてＢＢ部１０１に出力する。
【００１９】
状態監視部１０３は、温度センサ１０４が端末内部の温度上昇を検出したときに、ＢＢ部１０１が出力する無線品質情報と通信レートの監視を行い、温度上昇を起因とする無線通信の信号劣化の有無を判断する。この状態監視部１０３は、無線品質情報の監視の結果、「温度上昇による信号劣化」が生じている状態、と判断したときには、発熱劣化情報を生成し、移動無線装置１００の外部に出力（通知）する。
【００２０】
この発熱劣化情報は、高温時の信号劣化と判断したときの監視結果の各値であり、発生温度、発生時刻、無線品質情報（例えば、上記の変調方式、コードブロックサイズ、ＣＲＣ、ＢＥＲ、ＢＬＥＲ、通信レート等）からなる。また、発熱劣化情報には、「温度上昇による信号劣化」が生じている状態をユーザーに表示あるいは音声により通知する所定の通知メッセージを含んでもよい。
【００２１】
例えば、状態監視部１０３は、温度上昇時に、例えば、１．通信レートが低下した場合に、温度上昇による信号劣化と判断し、信号劣化が「有」と判断する。信号劣化が「有」との判断は、１．だけに限らない。
【００２２】
このほか、２．変調方式が高速の変調方式から低速の変調方式に変化した場合がある。また、３．コードブロックサイズが大きいサイズから小さいサイズに変化した場合がある。また、４．誤り検出結果（ＣＲＣ）が増大した場合がある。また、５．誤り検出率（ＢＥＲ、ＢＬＥＲ）が増大した場合がある。状態監視部１０３は、これら１．〜５．の変化のいずれか一つあるいは複数を組み合わせて信号劣化が「有」と判断する。
【００２３】
また、この状態監視部１０３は、図示しない格納部（メモリ）を備え、信号劣化が「有」と判断したときに判断に用いた情報をメモリに保存する。メモリに保存したデータは、後ほど、ユーザーの任意のタイミングで温度上昇による信号劣化の有無を確認することができる。
【００２４】
（端末装置の構成例）
図２は、実施の形態１にかかる端末装置の構成例を示す図である。移動無線装置１００は、小型化のために、基盤２０１の一方の面（表面２０１ａ）にＢＢ部１０１の回路が設けられ、他方の面（裏面２０１ｂ）にＡＰＬ部１０２の回路（ＣＰＵ等）が設けられている。
【００２５】
また、移動無線装置１００の内部には、他にも発熱する電池２０２が設けられている。アンテナ１１０は、例えば、移動無線装置１００の上下にそれぞれ設けられる。このように、ＢＢ部１０１と、ＢＢ部１０１からアンテナ１１０までの間の経路は、発熱するＡＰＬ部１０２や電池２０２の近傍に設けられることとなり、これらＡＰＬ部１０２や電池２０２による熱雑音の影響を受けやすい。
【００２６】
温度センサ１０４は、移動無線装置１００内部の温度を検出する所定の箇所に配置される。例えば、基盤２０１の裏面２０１ｂの発熱量が大きいＣＰＵを備えたＡＰＬ部１０２の近傍に設ける。これに限らず、基盤２０１の表面２０１ａの熱雑音の影響を受けるＢＢ部１０１の近傍に設けても良い。
【００２７】
熱雑音は、下記式（１）で表される。
熱雑音（Ｗ）＝ｋＴＢ…（１）
（ｋ：ボルツマン乗数、Ｔ：温度（Ｋ）、Ｂ：帯域（Ｈｚ））
【００２８】
熱雑音の単位は（Ｗ）であるので、ｄＢｍに変換すると、熱雑音影響後の信号は、下記式（２）で表される。
熱雑音影響後の信号（ｄＢｍ）＝受信信号（ｄＢｍ）＋１０ｌｏｇ（ｋＴＢ／１×１０-3）…（２）
【００２９】
上記式（２）のように、温度上昇が発生すると、熱雑音は増加し、信号劣化が発生する。
【００３０】
（温度上昇により受信感度の劣化について）
図３は、温度上昇による受信感度の劣化の例を示す図表である。横軸は温度、縦軸は受信感度を示す。受信感度とは、目標としたスループットを達成するために必要な、電界強度のことである。下記は下り通信（Ｄｏｗｎｌｉｎｋ）の通信速度が１００Ｍｂｐｓのとき、対スループット９５％を達成するのに必要となる電界強度を「受信感度」としている。温度上昇することにより、受信感度が劣化していることが示されている。
【００３１】
受信感度が劣化すると、無線信号のビット誤りが発生し、通信速度が低下する。移動無線装置１００の使用中（通信中）、ＡＰＬ部１０２が発熱すると、熱雑音による信号劣化が発生し、電波状況が良好にもかかわらず、通信速度の低下が生じることになる。電池２０２の充電等の発熱時にも同様に、電波状況が良好にもかかわらず、通信速度の低下が生じることになる。
【００３２】
そして、状態監視部１０３は、温度センサ１０４が温度上昇を検出し、無線品質情報（上記１．通信レートの低下〜５．誤り検出率の増大）のいずれか一つ、あるいは複数について劣化が進んだ（悪化した）場合、温度上昇による信号劣化と判断し、信号劣化「有」としてメモリに情報保存を行う。
【００３３】
（状態監視部のハードウェア構成例）
図４は、実施の形態１にかかる状態監視部のハードウェア構成の一例を示すブロック図である。図４において、状態監視部１０３は、ＣＰＵ４０１と、ＲＯＭ（Ｒｅａｄ−Ｏｎｌｙ  Ｍｅｍｏｒｙ）４０２と、ＲＡＭ（Ｒａｎｄｏｍ  Ａｃｃｅｓｓ  Ｍｅｍｏｒｙ）４０３と、半導体メモリやディスクドライブ等の記憶部４０４と、ディスプレイ４０５と、通信インターフェース（Ｉ／Ｆ）４０６と、キーボード４０８と、を含み構成することができる。
【００３４】
このほか、ＧＰＳセンサ４１０と、マウス４１１と、スキャナ４１２と、プリンタ４１３とを外部接続可能に備えてもよい。これらＣＰＵ４０１〜プリンタ４１３はバス４０９によってそれぞれ接続されている。
【００３５】
ＣＰＵ４０１は、状態監視部１０３の全体の制御を司る演算処理装置である。ＲＯＭ４０２は、状態監視部１０３の状態監視プログラムを記憶する不揮発性メモリである。ＲＡＭ４０３は、ＣＰＵ４０１による演算処理実行時のワークエリアとして使用される揮発性メモリである。
【００３６】
通信インターフェース４０６は、ネットワーク４０７と内部のインターフェースを司り、外部装置からのデータの入出力を制御する。具体的に、通信インターフェース４０６は、通信回線を通じてネットワーク４０７となる携帯電話網、Ｌｏｃａｌ  Ａｒｅａ  Ｎｅｔｗｏｒｋ（ＬＡＮ）、Ｗｉｄｅ  Ａｒｅａ  Ｎｅｔｗｏｒｋ（ＷＡＮ）、インターネットなどに接続され、ネットワーク４０７を介して他の装置に接続される。
【００３７】
ディスプレイ４０５は、状態監視のための設定画面や状態監視結果について、カーソル、アイコンあるいはツールボックスをはじめ、文書、画像、機能情報などを画面表示しユーザーに通知する装置である。ディスプレイ４０５には、例えば、Ｔｈｉｎ  Ｆｉｌｍ  Ｔｒａｎｓｉｓｔｏｒ（ＴＦＴ）液晶ディスプレイ、プラズマディスプレイ、有機ＥＬディスプレイなどを採用することができる。
【００３８】
上述した図１を用いて説明した状態監視部１０３の機能は、図４に記載のＣＰＵ４０１がＲＯＭ４０２に格納された状態監視プログラムを実行処理することにより得ることができる。信号劣化時に情報を保存するメモリは、例えば、図４に記載の記憶部４０４を用いることができる。また、「温度上昇による信号劣化」である旨の通知メッセージを表示する表示部は、図４に記載のディスプレイ４０５を用いることができる。このほか、通知メッセージを音声出力するスピーカを設けても良い。
【００３９】
また、不図示であるがＣＰＵ４０１のタイマ等により、信号劣化時の時刻を取得できる。また、ＧＰＳセンサ４１０を設けることにより、信号劣化時の現在位置を取得できる。
【００４０】
また、図４に記載のＣＰＵ４０１が図１に記載のＢＢ部１０１の制御用ＣＰＵであり、このＢＢ部１０１に設けられたＣＰＵ４０１が状態監視部１０３の監視機能の処理についても実行する構成としてもよい。さらには、図４に記載のＣＰＵ４０１が図１に記載のＡＰＬ部１０２のＣＰＵであり、このＡＰＬ部１０２に設けられたＣＰＵ４０１が状態監視部１０３の監視機能の処理についても実行する構成としてもよい。
【００４１】
（実施の形態１の状態監視処理例）
図５は、実施の形態１にかかる状態監視処理の例を示すフローチャートである。状態監視部１０３が行う状態監視処理について説明する。はじめに、状態監視部１０３は、移動無線装置１００の通信中における温度センサ１０４の温度を検出する（ステップＳ５０１）。
【００４２】
次に、状態監視部１０３は、検出した温度が高温であるか判断する（ステップＳ５０２）。例えば、熱雑音に応じた一つの閾値（例えば５０℃）を設定しておき、温度センサ１０４が検出した温度がこの閾値を超えたか否かを判断する。温度センサ１０４が検出した温度が閾値に達していない場合には高温ではないと判断し（ステップＳ５０２：Ｎｏ）、無線品質の監視を行わず通常処理を継続し（ステップＳ５０３）、ステップＳ５０１に戻る。
【００４３】
一方、状態監視部１０３は、温度センサ１０４が検出した温度が閾値を超えると高温と判断し（ステップＳ５０２：Ｙｅｓ）、無線品質の監視を開始する（ステップＳ５０４）。そして、状態監視部１０３は、無線品質の劣化を判断する（ステップＳ５０５）。無線品質の劣化は、上記１．通信レートの低下、２．低速な変調方式への変化、３．コードブロックサイズが小さくなる変化、４．誤り検出結果（ＣＲＣ）の増大、５．誤り検出率（ＢＥＲ、ＢＬＥＲ）の増大、のいずれか一つあるいは複数を組み合わせて判断する。
【００４４】
また、このステップＳ５０５の判断では、１．通信レートの低下を前提として、２．〜５．の変化を組み合わせて信号劣化が「有」と判断してもよい。
【００４５】
そして、状態監視部１０３は、無線品質が劣化していないと判断したときには（ステップＳ５０５：Ｎｏ）、ステップＳ５０１に戻る。一方、状態監視部１０３は、無線品質が劣化していると判断したときには（ステップＳ５０５：Ｙｅｓ）、発熱（熱雑音）による信号劣化（通信速度の低下）と判断して、発熱劣化情報の出力と保存を行う（ステップＳ５０６）。
【００４６】
具体的には、状態監視部１０３は、移動無線装置１００の表示部に「温度上昇による信号劣化」である旨の通知メッセージを表示出力し、この際の判断に用いた監視の情報（上記１．通信レートの低下〜５．誤り検出率の増大）を発熱劣化情報としてメモリに保存する。
【００４７】
以上により一連の状態監視処理を終了し、所定タイミングで再度ステップＳ５０１の処理に戻る。表示する通知メッセージとしては、例えば、「現在の受信状態の劣化は発熱によるものです。」等とユーザーに通知する。さらに、「温度が低下すれば受信状態の劣化は解消されます。」と通知してもよい。
【００４８】
ステップＳ５０６によりメモリに保存する発熱劣化情報は、「温度上昇による信号劣化」を判断した際の無線品質情報を含んでいる。したがって、後ほど、メモリから発熱劣化情報を読み出した際にも、「温度上昇による信号劣化」であることを示すことができ、修理が必要な装置の故障ではないことを判断できる。
【００４９】
これにより、移動無線装置１００のユーザーは、通信速度が低下したときに、表示された通知メッセージ、あるいは、後ほどメモリから読み出した発熱劣化情報により、一時的な温度上昇時の状態であることを容易に把握できるようになる。加えて、ユーザーに対し、通信速度の低下が移動無線装置１００の故障（修理が必要な故障）ではないことを容易に伝えることができ、安心させることができるようになる。
【００５０】
そして、ＡＰＬ部１０２の処理が低負荷となる等して、温度が低下すれば、上記「温度上昇による信号劣化」の通知は解除されるため、ユーザーは、この通知解除によって安心して移動無線装置１００を使用継続できるようになる。
【００５１】
実施の形態１によれば、移動無線装置１００内部の温度上昇時に、通信速度の低下等の信号劣化が生じた場合、この劣化要因が熱雑音に基づくものであることを特定（分類）でき、直ちにユーザーに通知することができる。
【００５２】
これにより、発熱による信号劣化発生時に、移動無線装置１００の故障と誤って判断して故障依頼するなどの不要な手間をユーザーにかけることがない。故障対応するメーカーのサービスセンタやショップ等においても、故障していない移動無線装置１００の故障診断等を行わずに済ませることができるようになる。
【００５３】
また、メーカーのショップ等に移動無線装置１００が持ち込まれた場合、移動無線装置１００のメモリに保存された発熱劣化情報に基づいて、故障診断等を効率的に行うことができるようになる。例えば、速度低下の発生時期が全て発熱劣化情報（の発生時刻）であれば、熱雑音の発生「温度上昇による信号劣化」であり、修理が必要な故障ではないことをユーザーに伝えることができる。これにより、実際の情報を用いてユーザーを安心させることができるようになるとともに、無駄な故障回収を行わずに済ませることができるようになる。
【００５４】
（実施の形態２）
実施の形態２では、移動無線装置１００がＬＴＥ（Ｌｏｎｇ  Ｔｅｒｍ  Ｅｖｏｌｕｔｉｏｎ）の通信規格にしたがった通信を行う構成例について説明する。そして、ＢＢ部１０１は、無線品質情報として、ＣＱＩ（Ｃｈａｎｎｅｌ  Ｑｕａｌｉｔｙ  Ｉｎｄｉｃａｔｏｒ）を出力する。
【００５５】
状態監視部１０３は、温度センサ１０４が温度上昇を検出したときの無線品質情報としてＣＱＩを用いて劣化を判断する。例えば、ＣＱＩがより劣化する変化が生じた場合（例えば変調方式が６４ＱＡＭ→１６ＱＡＭ→ＱＰＳＫに変化した場合）、温度上昇による信号劣化と判断し、信号劣化「有」として発熱劣化情報を出力し、メモリに保存する。
【００５６】
（ＬＴＥのＣＱＩテーブル例）
図６は、ＬＴＥ通信の場合の変調方式および通信レートの例を示す図表である。ＬＴＥ通信では、３ＧＰＰ（ＴＳ３６．２１３  Ｔａｂｌｅ  ７．２．３−１：  ４−ｂｉｔ  ＣＱＩ  Ｔａｂｌｅ）規格により、ＣＱＩ  Ｉｎｄｅｘ毎に変調方式と通信レート（ｃｏｄｅ  ｒａｔｅ）が予め定められている。
【００５７】
図６に示すＣＱＩインデックス（Ｉｎｄｅｘ）は０〜１５であり、ＣＱＩの値（インデックス値）が小さければＱＰＳＫの変調方式により低速通信を行い、ＣＱＩの値が大きくなるにつれて、１６ＱＡＭ、６４ＱＡＭの変調方式および通信レートが高くなり高速通信を行う。
【００５８】
状態監視部１０３は、温度センサ１０４による温度上昇を検出したときに、ＣＱＩ  Ｉｎｄｅｘの監視を行い、この発熱検出時にＣＱＩ  Ｉｎｄｅｘの値が減少した場合、温度上昇による信号劣化と判断する。
【００５９】
そして、状態監視部１０３は、このように、発熱による劣化が発生した場合は、ユーザーに向けて、「現在の受信状態の劣化は発熱によるものです。」等の通知を表示等により行う。同時に、メモリに発熱劣化情報の保存を行う。
【００６０】
この際、状態監視部１０３は、発熱による劣化発生時、保存する最低限の発熱劣化情報として、劣化発生の有無を表す情報の保存を行う。例えば、１ｂｉｔのレジスタで、フラグ０：無、フラグ１：有とする保存を行う。
【００６１】
さらに、この発熱劣化情報に時刻情報も加えて保存を行うと、後から情報を読み出したときに信号劣化の発生時刻を知ることが可能となる。このほかに、発生時の温度、発生時の無線品質情報（ＣＱＩ等）、発生時の位置情報など、必要に応じて複数の項目を発熱劣化情報として保存することで、後から発熱劣化情報を読み出したときに、発生時に生じた劣化の各項目の状況を詳しく知ることができる。
【００６２】
（発熱による信号劣化時に保存する情報例）
図７は、発熱時にメモリに保存する発熱劣化情報の一例を示す図である。図７の例は、上述した劣化発生が「有」の場合、対応するフラグ「１」に加えて、発生時刻、発生温度、発生時ＣＱＩ、位置情報をそれぞれ付加して保存する例である。
【００６３】
この際、状態監視部１０３は、発生時刻については、ＣＰＵ４０１内蔵のタイマ等から取得し、発生温度は、温度センサ１０４から取得し、発生時ＣＱＩは、劣化発生時のＣＱＩインデックスの値をＢＢ部１０１から取得し、位置情報はＧＰＳセンサ４１０から取得する。
【００６４】
また、状態監視部１０３は、劣化発生時の情報を複数回記録させる場合は、上記から指定された情報を記録しておきたい回数分保存を行う。図７の例では、２回分の劣化発生時の情報を格納した例である。図７に示した劣化発生時の情報は、ユーザー通知完了時や、ユーザー操作時など任意のタイミングでクリア可能である。
【００６５】
なお、ＣＱＩの監視の結果、温度上昇時の情報、あるいは温度上昇時以外（劣化発生が「無」の場合の対応するフラグ「０」の信号劣化時）の情報についても、メモリに保存しておいてもよい。これにより、劣化発生が「無」の発生時刻により、信号劣化の発生時「１」の発生時刻や、劣化の変化状態をより特定しやすくなる。
【００６６】
さらには、ＧＰＳセンサ４１０等により取得した位置情報に基づき、位置別に異なる通信速度と対比して、信号劣化の要因が温度上昇に基づくものであるか、位置に基づくものであるかをより細かく特定（分類）できるようになる。また、時刻と位置に基づき、特定の催事開催に基づくトラフィック混雑に起因する信号劣化であることを特定（分類）することもできるようになる。
【００６７】
（実施の形態２の状態監視処理例）
図８は、実施の形態２にかかる状態監視処理の例を示すフローチャートである。状態監視部１０３が行う状態監視処理について説明する。はじめに、状態監視部１０３は、移動無線装置１００の通信中における温度センサ１０４の温度を検出する（ステップＳ８０１）。
【００６８】
次に、状態監視部１０３は、検出した温度が高温であるか判断する（ステップＳ８０２）。例えば、熱雑音に応じた一つの閾値（例えば５０℃）を設定しておき、温度センサ１０４が検出した温度がこの閾値を超えたか否かを判断する。温度センサ１０４が検出した温度が閾値に達していない場合には高温ではないと判断し（ステップＳ８０２：Ｎｏ）、無線品質の監視を行わず通常処理を継続し（ステップＳ８０３）、ステップＳ８０１に戻る。
【００６９】
一方、状態監視部１０３は、温度センサ１０４が検出した温度が閾値を超えると高温と判断し（ステップＳ８０２：Ｙｅｓ）、このときの無線品質を示すＣＱＩ  Ｉｎｄｅｘの値を保存する（ステップＳ８０４）。そして、状態監視部１０３は、再度、閾値を用いて高温であるか判断する（ステップＳ８０５）。
【００７０】
ステップＳ８０５において、高温でなければ（ステップＳ８０５：Ｎｏ）、ステップＳ８０１に戻る。一方、ステップＳ８０５において、高温であれば（ステップＳ８０５：Ｙｅｓ）、ＣＱＩ  Ｉｎｄｅｘの値がマイナス方向に変化したか判断する（ステップＳ８０６）。ＣＱＩ  Ｉｎｄｅｘの値がマイナス方向に変化していなければ（ステップＳ８０６：Ｎｏ）、ステップＳ８０５に戻る。
【００７１】
一方、ＣＱＩ  Ｉｎｄｅｘの値がマイナス方向に変化していれば（ステップＳ８０６：Ｙｅｓ）、発熱による無線品質（ＣＱＩ）の劣化であると判断し、発熱劣化情報をメモリに保存する（ステップＳ８０７）。そして、ユーザーに対し、「温度上昇による信号劣化」の旨を通知する（ステップＳ８０８）。以上により一連の状態監視処理を終了し、所定タイミングで再度ステップＳ８０１の処理に戻る。
【００７２】
なお、上記ステップＳ８０６の判断において、ＣＱＩ  Ｉｎｄｅｘの変化を複数回判断するようにすれば、より信号劣化の判断精度を向上できるようになる。
【００７３】
実施の形態２によれば、実施の形態１同様の効果を有するとともに、状態監視部１０３は、ＣＱＩ  Ｉｎｄｅｘの値の変化を監視するだけの簡単な処理で熱雑音の発生による信号劣化を検出できるようになる。
【００７４】
（実施の形態３）
実施の形態３は、発熱劣化情報をサーバーに蓄積保存する構成例について説明する。状態監視部１０３は、温度センサ１０４が検出する移動無線装置１００内部温度の上昇と、無線品質情報の劣化を同時に検知したときに、発熱劣化情報を所定のサーバーに通知する。この際、状態監視部１０３は、移動無線装置１００のネットワーク４０７（例えば携帯電話網）を介して、サーバーに発熱劣化情報を送信し、サーバーは、ユーザー（移動無線装置１００）別の発熱劣化情報を蓄積保存する。
【００７５】
サーバーは、図４同様のハードウェアにより構成でき、温度センサ１０４、ＧＰＳセンサ４１０の構成等は省くことができる。発熱劣化情報は、図４に記載の記憶部４０４に蓄積記憶することができる。
【００７６】
発熱劣化情報は、上記のように、信号劣化と判断したときの監視結果の各値であり、発生温度、発生時刻、無線品質情報（例えば、上記の変調方式、コードブロックサイズ、ＣＲＣ、ＢＥＲ、ＢＬＥＲ、通信レート等）からなる。
【００７７】
そして、サーバーに保存された発熱劣化情報は、移動無線装置１００を指定してサーバーにアクセスすることで、任意に読み出すことができる。例えば、自移動無線装置１００に限らず、サーバーにアクセス可能なＰＣ等のコンピュータ装置でも読み出すことができる。
【００７８】
（実施の形態３の状態監視処理例）
図９は、実施の形態３にかかる状態監視処理の例を示すフローチャートである。状態監視部１０３が行う状態監視処理について説明する。ステップＳ９０１〜ステップＳ９０５の処理は、実施の形態１（ステップＳ５０１〜ステップＳ５０５）と同様である。
【００７９】
はじめに、状態監視部１０３は、移動無線装置１００の通信中における温度センサ１０４の温度を検出する（ステップＳ９０１）。
【００８０】
次に、状態監視部１０３は、検出した温度が所定の閾値を超えて高温であるか判断する（ステップＳ９０２）。温度センサ１０４が検出した温度が閾値に達していない場合には高温ではないと判断し（ステップＳ９０２：Ｎｏ）、無線品質の監視を行わず通常処理を継続し（ステップＳ９０３）、ステップＳ９０１に戻る。
【００８１】
一方、状態監視部１０３は、温度センサ１０４が検出した温度が閾値を超えると高温と判断し（ステップＳ９０２：Ｙｅｓ）、無線品質の監視を開始する（ステップＳ９０４）。そして、状態監視部１０３は、無線品質の劣化を判断する（ステップＳ９０５）。
【００８２】
そして、状態監視部１０３は、無線品質が劣化していないと判断したときには（ステップＳ９０５：Ｎｏ）、ステップＳ９０１に戻る。一方、状態監視部１０３は、無線品質が劣化していると判断したときには（ステップＳ９０５：Ｙｅｓ）、発熱による信号劣化（通信速度の低下）と判断し、サーバーに発熱劣化情報を通知してサーバー保存を行う（ステップＳ９０６）。以上により一連の状態監視処理を終了し、所定タイミングで再度ステップＳ９０１の処理に戻る。
【００８３】
なお、移動無線装置１００は、発熱による信号劣化が発生した状態のために、発熱劣化情報をサーバーに送信できない場合には、状態監視部１０３は、内部温度が所定温度まで低下するのを待ってから（ステップＳ９０３実行時に）送信を行う。
【００８４】
上記処理では、移動無線装置１００のメモリに発熱劣化情報を保存する工程を含まないが、メモリに発熱劣化情報を保存する構成を含んでもよい。これにより、移動無線装置１００自体が「温度上昇による信号劣化」であることを迅速にユーザーに伝えることができる。
【００８５】
ステップＳ９０６によりサーバーに通知する発熱劣化情報は、「温度上昇による信号劣化」を判断した際の無線品質情報を含んでいる。したがって、ユーザーから故障申告（発熱時に通信速度が遅くなった）を受けたメーカーなどは、サーバーにアクセスして、保存してある対象の移動無線装置１００の発熱劣化情報を読み出す。そして、読み出した発熱劣化情報の各項目に基づき、移動無線装置１００の温度上昇による信号劣化が発生していたか判断できる。
【００８６】
実施の形態３によれば、サーバーに蓄積記憶された発熱劣化情報に基づいて、故障診断等を効率的に行うことができるようになる。例えば、メーカーのショップ等に移動無線装置１００が持ち込まれた場合、対応する移動無線装置１００の発熱劣化情報をサーバーから読み出す。そして、速度低下の発生時期が全て発熱劣化情報（の発生時刻）であれば、熱雑音の発生「温度上昇による信号劣化（通信速度の低下）」であり、ユーザーの遭遇事象が修理が必要な故障ではないことを伝えることができる。これにより、ユーザーを安心させることができ、無駄な故障回収を行わずに済む。
【００８７】
また、移動無線装置１００とサーバーとがネットワーク接続されることにより、サーバー側が行った故障診断の結果をネットワークを介して移動無線装置１００に返答することができる。この際、移動無線装置１００は、発熱時の信号劣化時にサーバーに発熱劣化情報を送信するため、ユーザーは、メーカーのショップ等に移動無線装置１００を持ち込む手間を省き、簡単に場所を問わず遠隔地で故障診断を受けることもできるようになる。
【００８８】
（実施の形態４）
実施の形態４では、移動無線装置１００の発熱による信号劣化が故障によるものか否かを特定する構成について説明する。図１０は、実施の形態４にかかる端末装置の処理を説明するブロック図である。図１０（ａ）には、無線品質が良好な状態における各部の処理を示し、図１０（ｂ）には、発熱による信号劣化の改善後における各部の処理を示している。
【００８９】
図１０（ａ）に示すように、状態監視部１０３は、無線通信状態が良好であるとき（高温ではないとき）、ＢＢ部１０１が受信した受信データ１００１そのものをサンプルデータとしてメモリに保存しておく。また、状態監視部１０３は、受信データ１００１についてＢＢ部１０１が受信処理した際の無線品質情報１００２についても受信データ１００１と対応付けて保存しておく。この際に保存する無線品質情報１００２は、例えば、上記の誤り検出結果（ＣＲＣ）や、誤り検出率（ＢＥＲ、ＢＬＥＲ）等であり、これらのうち一つあるいは複数を保存しておく。
【００９０】
そして、状態監視部１０３は、移動無線装置１００内部の温度上昇（高温状態）による信号劣化が発生し、その後に高温状態が改善された時期に、メモリに保存しておいた受信データをＢＢ部１０１に出力する。
【００９１】
ＢＢ部１０１は、メモリに保存しておいた（過去の無線通信状態が良好なときの）受信データ１００１を再度受信処理し、再度、無線品質情報１００２ａを出力する。
【００９２】
この後、状態監視部１０３は、この再度の無線品質情報１００２ａを取得し、この無線品質情報１００２ａを、メモリに保存しておいた（過去の無線通信状態が良好なときの）受信データ１００１に対応する無線品質情報１００２と比較する。
【００９３】
そして、状態監視部１０３は、無線品質情報１００２ａと無線品質情報１００２とが同じであるか否かに基づき、移動無線装置１００の故障を判断する。そして、図１０（ｂ）に示す温度上昇改善後の無線品質情報１００２ａが、保存してある過去に処理した際の無線品質情報１００２と等しい結果となれば、温度上昇によって回路故障が発生していない、と判断する。しかし、無線品質情報１００２ａと無線品質情報１００２とに差分が出た場合は、故障発生と判断し、ユーザーに対し故障の旨を表示等で通知する。
【００９４】
互いに比較する無線品質情報１００２と、無線品質情報１００２ａとしては、一つの情報、例えば誤り検出結果（ＣＲＣ）や、誤り検出率（ＢＥＲ、ＢＬＥＲ）のうち一つを用いて行えるが、複数の情報を用いればより判断精度を向上できる。
【００９５】
（実施の形態４の状態監視処理例）
図１１Ａは、実施の形態４にかかる通信状態が良好なときの状態監視処理の例を示すフローチャート、図１１Ｂは、実施の形態４にかかる発熱による劣化発生改善後の故障判断処理の例を示すフローチャートである。図１１Ａ、図１１Ｂのいずれも状態監視部１０３が処理を行う。
【００９６】
まず、図１１Ａを参照して通信状態が良好なときの状態監視の処理例を説明する。はじめに、状態監視部１０３は、メモリに受信データと無線品質情報が格納されているかを判断する（ステップＳ１１０１）。そして、メモリに受信データと無線品質情報が格納されていれば（ステップＳ１１０１：Ｙｅｓ）、処理を終了する。
【００９７】
一方、メモリに受信データと無線品質情報が格納されていなければ（ステップＳ１１０１：Ｎｏ）、状態監視部１０３は、現在の無線通信状態が良好であるか判断する（ステップＳ１１０２）。無線通信状態は、上述した「温度上昇による信号劣化」が生じていない状態、例えば、高温ではなく、所定の通信速度が得られているときに、良好であると判断する。
【００９８】
そして、状態監視部１０３は、無線通信状態が良好でなければ良好となるまで待機する（ステップＳ１１０２：Ｎｏのループ）。一方、状態監視部１０３は、無線通信状態が良好であれば（ステップＳ１１０２：Ｙｅｓ）、良好な無線通信状態の受信データ１００１と無線品質情報１００２とをＢＢ部１０１から取得し、メモリに保存し（ステップＳ１１０３）、処理を終了する。
【００９９】
次に、図１１Ｂを参照して劣化発生改善後の故障判断の処理例を説明する。はじめに、状態監視部１０３は、高温の後、温度が下がった状態であるかを判断する（ステップＳ１１１１）。具体的には、現在の状態が、温度センサ１０４が検出した温度が上記の閾値（例えば５０℃）を超えた高温状態を経て、温度センサ１０４が検出した温度が閾値より低くなって高温状態が改善された状態にあるかを判断する。
【０１００】
ここで、状態監視部１０３は、高温状態のままである等、温度が下がった状態でなければ（ステップＳ１１１１：Ｎｏのループ）、高温状態が改善されるまで待機する。そして、状態監視部１０３は、現在の温度が閾値より下がった場合には（ステップＳ１１１１：Ｙｅｓ）、メモリに保存してある受信データ１００１をＢＢ部１０１に出力し、ＢＢ部１０１によって受信データ１００１を再度受信処理させる（ステップＳ１１１２）。ＢＢ部１０１は、受信データ１００１を再度受信処理することにより、対応する無線品質情報（第２の無線品質情報）１００２ａを出力する。
【０１０１】
そして、状態監視部１０３は、無線品質情報１００２ａとメモリに保存してある無線品質情報１００２とを比較し、両者に差分があるかを判断する（ステップＳ１１１３）。そして、両者に差分がなければ（ステップＳ１１１３：Ｎｏ）、回路故障が発生していない、と判断し、処理を終了する。この際、状態監視部１０３は、判断結果として、「故障は発生していない」との情報を出力してもよい。
【０１０２】
しかし、状態監視部１０３は、無線品質情報１００２ａと無線品質情報１００２とに差分がある場合は（ステップＳ１１１３：Ｙｅｓ）、故障発生と判断し、ユーザーに対し故障の旨を表示等で通知する（ステップＳ１１１４）。また、この故障通知は、上記のサーバーにも通知してもよい。加えて、メモリに無線品質情報１００２と無線品質情報１００２ａ、およびそれぞれの時刻等を保存しておいてもよい。
【０１０３】
実施の形態４によれば、高温状態を挟んで温度上昇前と温度上昇改善後の無線品質情報を比較することにより、正常時には、いずれも高温状態ではない通常状態時に無線通信状態（無線品質情報）が一致しないことをもって、故障発生と判断できるようになる。
【０１０４】
この実施の形態４によれば、移動無線装置の故障発生をユーザーに通知することができる。また、直前の温度上昇時の熱雑音の発生が故障発生の要因であることを迅速にユーザーに通知できる。これにより、ユーザーが故障品を使い続けることを防ぐことができる。加えて、重度の故障となる前に、故障した移動無線装置をメーカーのショップ持込等により迅速に修理対応できるようになる。この修理時には、メモリに保存してある無線品質情報１００２と無線品質情報１００２ａ、およびそれぞれの時刻等を読み出すことにより、故障原因の特定を迅速に行えるようになる。
【０１０５】
以上説明した各実施の形態によれば、移動無線装置に設けられるＣＰＵの処理実行等により、装置内部が温度上昇して熱雑音による通信速度の低下などの信号劣化が発生した場合に、ユーザー対して信号劣化が熱雑音に起因する一時的なことを迅速に通知できる。これにより、ユーザーは、温度低下により信号劣化が解消でき、装置の故障ではないことを容易に判断できるようになる。また、ユーザーに対し、故障品として修理依頼する等の不要な手間をかけることがないとともに、ユーザーが故障品を使用継続することを防ぐことができる。
【０１０６】
また、信号劣化時の情報を保存しておくことにより、後ほど読み出して信号劣化が温度上昇に基づくものであったことを判断でき、故障診断等を効率的に行えるようになる。この際、無線品質情報と、信号劣化の発生時刻等を保存しておくことにより、信号劣化時の状態に基づき、より詳細に故障診断等が行えるようになる。
【０１０７】
そして、温度上昇および信号劣化時に保存する情報は、移動無線装置に保存するに限らず、ネットワークを介して外部のサーバーに蓄積保存しておくこともでき、任意の時刻、場所等から容易に情報を読み出し、故障診断等を行えるようになる。例えば、メーカー側は故障品として持ち込まれた移動無線通信装置の信号劣化時の情報を読み出すことにより、修理が必要な故障であるか、熱雑音による信号劣化のため修理不要であるか、等の故障診断を効率的に行えるようになる。また、温度上昇および信号劣化時に保存する情報として、ＣＱＩのインデックス値を用いることにより、データ量を削減できる。
【０１０８】
また、通常時の受信データと無線品質情報を保存しておき、温度上昇改善後に保存してある受信データを再度受信処理した無線品質情報を得て、温度上昇前後の無線品質情報の差分に基づき装置の故障を特定できるようになる。これにより、ユーザーが故障品を使い続けることを防ぐことができる。また、重度の故障となる前に、故障した移動無線装置をメーカーのショップ持込等により迅速に修理対応できるようになる。
【０１０９】
上述した各実施の形態に関し、さらに以下の付記を開示する。
【０１１０】
（付記１）無線通信を行う装置内部の温度を検出する温度センサと、
前記温度センサが検出した高温期間中の無線通信の信号劣化の有無に基づいて、当該信号劣化が高温時の熱雑音によるものであるか否かを判断する監視部と、
を有することを特徴とする端末装置。
【０１１１】
（付記２）前記監視部は、
前記温度センサが検出する温度を、予め設定した閾値の温度と比較して、装置内部の温度が高温であるか否かを判断し、
前記高温期間中、無線通信部が信号処理した結果得られる無線品質情報に劣化する変化が生じた場合、前記信号劣化が高温時の熱雑音によるものであると判断することを特徴とする付記１に記載の端末装置。
【０１１２】
（付記３）前記監視部は、
前記信号劣化が高温時の熱雑音によるものであると判断した際の前記無線品質情報を含む発熱劣化情報を生成し、装置内部の格納部に保存することを特徴とする付記２に記載の端末装置。
【０１１３】
（付記４）前記監視部は、
前記発熱劣化情報として、前記信号劣化の発生の有無を示す識別情報と、前記無線品質情報と、を含み生成することを特徴とする付記３に記載の端末装置。
【０１１４】
（付記５）前記監視部は、
前記発熱劣化情報として、さらに、信号劣化が生じた際の時刻、発生温度、および位置の情報の一つあるいは複数を含め生成することを特徴とする付記４に記載の端末装置。
【０１１５】
（付記６）前記監視部は、
前記発熱劣化情報を装置外部に出力することを特徴とする付記３〜５のいずれか一つに記載の端末装置。
【０１１６】
（付記７）前記監視部は、
前記信号劣化が高温時の熱雑音によるものであると判断した旨の通知メッセージを、装置の表示部に表示出力することを特徴とする付記６に記載の端末装置。
【０１１７】
（付記８）前記監視部は、
前記発熱劣化情報を、装置外部に設けられ、端末装置別に前記無線品質情報を保存管理するサーバーに送信出力することを特徴とする付記６または７に記載の端末装置。
【０１１８】
（付記９）前記監視部は、
前記無線品質情報として、通信レート、速度別の変調方式、コードブロックサイズ、前記信号処理時の誤り検出結果、誤り検出率、のうち一つあるいは複数を用いて前記信号劣化の有無を判断することを特徴とする付記２〜８のいずれか一つに記載の端末装置。
【０１１９】
（付記１０）前記監視部は、
前記無線品質情報として、前記無線通信部が所定の通信方式により信号処理した際に用いるＣＱＩ（Ｃｈａｎｎｅｌ  Ｑｕａｌｉｔｙ  Ｉｎｄｉｃａｔｏｒ）のインデックス値の変化に基づき前記信号劣化の有無を判断することを特徴とする付記２〜８のいずれか一つに記載の端末装置。
【０１２０】
（付記１１）前記監視部は、
通常の無線通信を行った際の受信データと、前記無線品質情報とを格納部に保存しておき、
前記温度センサが検出した高温経過後の通常の無線通信が行える期間に、前記格納部から読み出した前記受信データを前記無線通信部により再度信号処理させて第２の無線品質情報を得て、
前記無線品質情報と、前記第２の無線品質情報とを比較して、差分の有無に基づき、装置の故障の有無を判断する
ことを特徴とする付記２〜１０のいずれか一つに記載の端末装置。
【０１２１】
（付記１２）無線通信を行う装置内部の温度を検出する温度センサと、
前記温度センサが検出した高温期間中、無線通信部が信号処理した結果得られる無線品質情報劣化する変化が生じた場合、前記無線品質情報を含む発熱劣化情報を生成してサーバーに送信出力する監視部と、を有する端末装置と、
受信した前記発熱劣化情報を前記端末装置毎に記憶部に蓄積保存し、
前記記憶部から所望の端末装置の前記発熱劣化情報を読み出して、前記端末装置に生じた信号劣化が高温時の熱雑音によるものであるか否かを判断するサーバーと、
を含むことを特徴とする通信状態監視システム。
【０１２２】
（付記１３）無線通信を行う端末装置内部の温度が高温期間中の無線通信の信号劣化の有無に基づいて、当該信号劣化が高温時の熱雑音によるものであるか否かを判断する判断工程
を含むことを特徴とする通信状態監視方法。
【０１２３】
（付記１４）前記判断工程は、
前記高温期間中、無線通信部が信号処理した結果得られる無線品質情報に劣化する変化が生じた場合、前記信号劣化が高温時の熱雑音によるものであると判断する
ことを特徴とする付記１３に記載の通信状態監視方法。
【符号の説明】
【０１２４】
１００  移動無線装置（端末装置）
１０１  ベースバンド部（ＢＢ部）
１０２  アプリケーション部（ＡＰＬ部）
１０３  状態監視部
１０４  温度センサ
１１０  アンテナ
２０１  基盤
２０２  電池
４０１  ＣＰＵ
４０２  ＲＯＭ
４０３  ＲＡＭ
４０４  記憶部
４０５  ディスプレイ
４０６  通信インターフェース
４０７  ネットワーク
４０８  キーボード
４０９  バス
４１０  ＧＰＳセンサ
１００１  受信データ
１００２，１００２ａ  無線品質情報
【図１】
2015103823.tif 000003
【図２】
2015103823.tif 000004
【図３】
2015103823.tif 000005
【図４】
2015103823.tif 000006
【図５】
2015103823.tif 000007
【図６】
2015103823.tif 000008
【図７】
2015103823.tif 000009
【図８】
2015103823.tif 000010
【図９】
2015103823.tif 000011
【図１０】
2015103823.tif 000012
【図１１Ａ】
2015103823.tif 000013
【図１１Ｂ】
2015103823.tif 000014